(57)【要約】      （修正有）【課題】長期間経過しても注意を喚起する内容を忘れないようにすることができる共に、周囲の美観が損なわれるのを防止することができる注意喚起体を提供する。【解決手段】表裏両面（１０ａ及びその裏面）を有する薄板状に形成され、自重により容易に折れ曲がらない程度の硬さを有し、見易い場所に吊下げ可能に形成され、前記表裏両面のうちの少なくとも一方の面の、一部又は全部に注意を喚起する文章及び／又は図表が印刷されるようにする。【選択図】図１
0003147523.tif 000002
【実用新案登録請求の範囲】
【請求項１】
表裏両面を有する薄板状に形成され、自重により容易に折れ曲がらない程度の硬さを有し、見易い場所に吊下げ可能に形成され、
前記表裏両面のうちの少なくとも一方の面の、一部又は全部に注意を喚起する文章及び／又は図表が印刷された
ことを特徴とする注意喚起体。
【請求項２】
前記文章及び／又は図表中に、使用する者が後から書き込みが可能な空白欄が空けられていることを特徴とする請求項１に記載の注意喚起体。
【請求項３】
前記一方の面の裏側の他方の面に、絵や写真を印刷したり、又は他の用途に使用したりすることができることを特徴とする請求項１又は２に記載の注意喚起体。
【考案の詳細な説明】
【技術分野】
【０００１】
本考案は、それを見ることにより、何らかの注意を喚起することができる注意喚起体に関するものである。
【背景技術】
【０００２】
従来においては、将来的に何らかの所定条件に該当するに至った場合に必要性が生じる用件や、自ら予定した何らかの用件等を忘れずにいるようにするために、例えば、その時期や条件等について記載したメモを作って持ち歩いたり、保管しておいたり、或はそのメモを目立つ場所に貼り付けたりしておくこと等が行なわれていた。
【考案の開示】
【考案が解決しようとする課題】
【０００３】
しかしながら、上記従来のメモは、長期間経過後にはメモを紛失したり、メモを保管した場所を忘れたり、或はメモを読み返すこと自体を忘れたりすると、メモした内容を思い出すことができなくなってしまうという問題があった。
【０００４】
また、そのメモが例えば、自動車に関するものであれば、そのメモを自動車の運転席に近いフロントウインドウや、ダッシュボードの前面に貼り付けておけば、常に目に付くので、その度に思い出すことができるが、自動車の運転席の美観が損なわれるという問題があった。
【０００５】
そこで本考案は、上記問題点に鑑みて、長期間経過しても注意を喚起する内容を忘れないようにすることができる共に、周囲の美観が損なわれるのを防止することができる注意喚起体を提供することを課題とするものである。
【課題を解決するための手段】
【０００６】
上記課題を解決するために本考案による注意喚起体は、
表裏両面を有する薄板状に形成され、自重により容易に折れ曲がらない程度の硬さを有し、見易い場所に吊下げ可能に形成され、
前記表裏両面のうちの少なくとも一方の面の、一部又は全部に注意を喚起する文章及び／又は図表が印刷されたことを特徴とするものである。
【０００７】
また、本考案による注意喚起体は、前記文章及び／又は図表中に、使用する者が後から書き込みが可能な空白欄が空けられていることを特徴とするものである。
【０００８】
また、本考案による注意喚起体は、前記一方の面の裏側の他方の面に、絵や写真を印刷したり、又は他の用途に使用したりすることができることを特徴とするものである。
【考案の効果】
【０００９】
このような本考案の注意喚起体によれば、
表裏両面を有する薄板状に形成され、自重により容易に折れ曲がらない程度の硬さを有し、見易い場所に吊下げ可能に形成され、
前記表裏両面のうちの少なくとも一方の面の、一部又は全部に注意を喚起する文章及び／又は図表が印刷されたことにより、
長期間経過しても注意を喚起する内容を忘れないようにすることができる共に、周囲の美観が損なわれるのを防止することができる。
【００１０】
また、このような本考案の注意喚起体によれば、前記文章及び／又は図表中に、使用する者が後から書き込みが可能な空白欄が空けられていることにより、長期間経過しても注意を喚起する内容をその空白欄に書込むことができる。
【００１１】
また、このような本考案の注意喚起体によれば、
前記一方の面の裏側の他方の面に、絵や写真を印刷したり、又は他の用途に使用したりすることができることにより、
上記絵や写真が、当該注意喚起体に記載されている用件等を連想させたり、１つの注意喚起体が注意喚起動作だけでなく、他の用途に使用したりすることもできる。
【考案を実施するための最良の形態】
【００１２】
以下、本考案に係る注意喚起体の最良の実施の形態について、図面に基づいて具体的に説明する。
図１及び図２のそれぞれは、本考案の一実施の形態に係る注意喚起体１０について説明するために参照する正面図（表面を示す図）及び背面図（裏面を示す図）である。
【００１３】
本実施の形態に係る注意喚起体１０は、表裏両面を有する薄板状に形成され、図１及び図２に示すように、その平面形状が略長方形に形成されている。この注意喚起体１０には、その縁部に紐等を通して吊るすことができる孔部１２が形成されていると共に、自重により容易に折れ曲がらない程度の硬さを有している。これにより、注意喚起体１０は、自動車の車内の、例えば運転席の傍の見易い場所に吊下げておくことにより、常に目に付き易くできるようになっている。
【００１４】
また、この注意喚起体１０の一方の表（おもて）面１０ａには、図１に示すように、自動車のエンジンオイル交換時期の注意を喚起するための文章が予め印刷されている。また、エンジンオイル交換が必要となる走行距離は自動車ごとに異なるため、注意喚起体１０の表面１０ａの文章中には、自動車のオーナー又はサービスマンが走行距離を記載するための空白欄１０ｃが空けられている。
【００１５】
また、この注意喚起体１０は、例えば、広告主が商標や商品名等を表示して顧客に贈呈する、宣伝用の商品（ノベルティ）としても配布することができるものであるから、図１に示すように、注意喚起体１０の一方の表面１０ａの注意喚起する文章の冒頭に、謝意を表す文章が印刷されている。この注意喚起体１０が上記宣伝用の商品として配布されるものでない場合には、もちろん、このような謝意の文章を記載しないようにしてもよい。
【００１６】
また、図２に示すように、注意喚起体１０における表面１０ａとは反対側の裏面１０ｂには、例えば会社のロゴマークが印刷されている。ここで図２は、エンジンオイルの交換作業や自動車整備等を業務とする「ＡＢＣＤ」という名称の会社のロゴマークが、注意喚起体１０の裏面１０ｂに印刷されている場合を例示したものである。
なお、注意喚起体１０の裏面１０ｂに印刷されるものは、このようなロゴマークに限定される必要は無く、他のどのような絵や写真をも印刷することもできる。
【００１７】
また、注意喚起体１０の裏面１０ｂには、上記ロゴマークの印刷の上から芳香剤又は消臭材が塗布されていてもよく、それらの機能により運転席の傍の臭覚的環境を改善して、宣伝効果を向上させることができる。このような芳香剤又は消臭材が塗布されるほかに、他のどのような目的を達成する処理を施してもよい。
【００１８】
このような本実施の形態に係る注意喚起体１０によれば、図１に示すように、注意を喚起すべき事項としてのオイル交換時期が、走行距離を記載するための空白欄を含む定型文として、予め見易く印刷されているので、その走行距離だけを書込むだけで表示を完成させることができると共に、読み返したときには、記載されているオイル交換時期について容易に把握することができる。
【００１９】
また、本実施の形態に係る注意喚起体１０によれば、この注意喚起体１０の表面１０ａに記載の文章中に空白欄が空けてあるので、オイル交換時期が自動車ごとに異なることにより、オイル交換時期となる走行距離を個別に書込む必要があるとしても、このようなオイル交換時期となる走行距離を上記空欄に書込むことができる。
【００２０】
したがって、本実施の形態に係る注意喚起体１０によれば、長期間経過しても注意を喚起する内容を忘れないようにすることができる共に、注意喚起体１０はぶら下がっているだけで、運転室内のあちこちにそれを貼り付ける必要が無いので、運転室内の美観が損なわれるのを防止することができる。
【００２１】
また、本実施の形態に係る注意喚起体１０によれば、その裏面１０ｂに、エンジンオイルの交換作業等を業務とする「ＡＢＣＤ」という名称の会社のロゴマークが印刷されていることにより、このようなロゴマークが、当該注意喚起体１０に記載されている注意喚起事項を連想させるので、記載されている用件がオイル交換時期である旨を容易に把握することができる。
【００２２】
なお、本実施の形態に係る注意喚起体１０においては、その表面１０ａに、自動車のエンジンオイル交換時期を注意喚起するための文章が印刷されていたが、このような事以外の他の事項について注意喚起する文章を印刷するようにしてもよい。
【００２３】
また、本実施の形態に係る注意喚起体１０においては、その表面１０ａに注意喚起を促す文章を印刷するようになっていたが、このような文章の代わりに、注意喚起を促す図や表を印刷するようになっていてもよい。或いは、文章と図と表のいずれか複数のものを任意に組合せて印刷するようになっていてもよい。
【００２４】
また、本実施の形態に係る注意喚起体１０においては、その表面１０ａの文章中に空白欄１０ｃを空けていたが、空けないようにしてもよい。また、注意喚起体１０の表面１０ａに、図や表を印刷する場合には、これらの図や表に空白欄１０ｃを空けても良いし、又は空けないようにしてもよい。
【００２５】
また、本実施の形態に係る注意喚起体１０においては、その表面１０ａだけに、具体的な注意喚起事項を印刷するようになっていたが、裏面１０ｂにも注意喚起事項が印刷されるようになっていてもよい。この場合において、裏面１０ｂに印刷される注意喚起事項は、表面１０ａに印刷された事項と同じ種類のものであっても良いし、又は異なる種類のものであってもよい。
【００２６】
また、本実施の形態に係る注意喚起体１０においては、表面１０ａ全体に注意喚起事項を印刷するようになっていたが、例えば、その表面１０ａの上半分、下半分、右半分、左半分のそれぞれのように、表面１０ａの一部の領域のみに注意喚起事項を印刷するようにしてもよい。また、その領域の大きさは半分に限定する必要はなく、全体に対するどのような比率の大きさであってもよい。
【００２７】
また、本実施の形態に係る注意喚起体１０においては、その裏面１０ｂに芳香剤又は消臭剤が塗布されていたが、芳香剤又は消臭剤を固形化したもの、又は芳香剤や消臭剤を染込ませたシート状のもの等を裏面１０ｂに貼り付けるようにしてもよい。
【００２８】
また、本実施の形態に係る注意喚起体１０においては、その裏面１０ｂに芳香剤又は消臭剤が塗布されていたが、これらが塗布される代わりに、光触媒のコーティングが行なわれるようになっていてもよい。
【図面の簡単な説明】
【００２９】
【図１】本考案の一実施の形態に係る注意喚起体１０を示す正面図である。
【図２】本考案の一実施の形態に係る注意喚起体１０を示す背面図である。
【符号の説明】
【００３０】
１０  注意喚起体
１０ａ，１０ｂ  面
１０ｃ  空白欄
１２  孔部
【図１】
0003147523.tif 000003
【図２】
0003147523.tif 000004